(57)【要約】【課題】  駐輪場利用者のために、利用者の帰りの状況に応じて、携帯電話などから、自転車の配送指示を行うことを可能とする駐輪場管理システムの提供。【解決手段】  自転車入庫時に自転車に取り付けられた識別装置1中のRFIDをゲート装置2で読み取り、管理装置にあたるPC3が入庫処理をする。自転車利用者は携帯電話5により配送依頼情報をPC3に送信し、PC3では自転車の入庫を確認して受付完了情報を携帯電話5に送信する。受付完了情報を受けて利用者は携帯電話5によりロック解除指示情報を識別装置1に送信し、識別装置1は自転車のロック解除をする。次いで利用者は携帯電話5によりロック解除完了情報をPC3に送信し、PC3では配送依頼情報とロック解除完了情報とを受信して、自転車の配送指示伝票を発行する。この伝票が発行されると、配送要員が自転車を出庫し、自転車の配送を行う。【選択図】  図９
2006001708.tif 000002
【特許請求の範囲】
【請求項１】
識別情報を包含する識別装置を取り付けられた自転車の駐輪場への入車時および出車時に自転車の識別情報をゲート装置により読み取り、結果を管理装置に出力し、該管理装置により自転車の駐車状態を管理する駐輪場管理システムにおいて、
前記管理装置は、処理装置とネットワークに接続された通信手段と駐輪場利用者の識別情報、住所情報及び自転車の駐車状態情報が格納された顧客データベースを記憶する記憶装置と出力手段を有し、
前記通信手段は、外部から携帯電話機等の通信手段により送られてきた自転車の配送依頼情報を受信して前記処理装置に送り、
前記処理装置は、該受信した配送依頼情報の内容により前記顧客データベースを参照して依頼人の顧客番号、顧客名、配送先住所を特定し前記出力手段に配送指示伝票の発行を指示し、
前記出力手段は、該特定した顧客番号、顧客名、配送先住所を記録した自転車の配送指示伝票を発行することを特徴とする駐輪場管理システム。
【請求項２】
請求項１記載の駐輪場管理システムにおいて、
前記処理装置は前記受信した配送依頼情報の内容により前記顧客データベースを参照して配送依頼された自転車の駐車状態を取得し、駐車状態を判定し、駐車中のとき前記出力手段に自転車の配送指示伝票の発行を指示することを特徴とする駐輪場管理システム。
【請求項３】
請求項２記載の駐輪場管理システムにおいて、
前記処理装置は、前記自転車の駐車状態が駐車中であると判定したとき、前記通信手段を介して自転車の配送指示を示す情報を前記携帯電話機等の通信手段に送信することを特徴とする駐輪場管理システム。
【請求項４】
請求項２または請求項３記載の駐輪場管理システムにおいて、
前記通信手段は、外部から携帯電話機等の通信手段により送られてきた自転車の施錠解除完了情報を受信して前記処理装置に送り、
前記処理装置は、前記自転車の駐車状態が駐車中であると判定し、かつ前記施錠解除完了情報を受け取った場合に、前記出力手段に自転車の配送指示伝票の発行を指示することを特徴とする駐輪場管理システム。
【請求項５】
請求項１乃至請求項４のいずれかの請求項記載の駐輪場管理システムにおいて、
前記自転車に取り付けられた識別装置は、処理装置と通信手段と施錠制御部を有し、
前記識別装置の通信手段は、外部から携帯電話機等の通信手段により送られてきた自転車の施錠解除情報を受信して前記識別装置の処理装置に送り、
該識別装置の処理装置は、前記施錠制御部に施錠解除を指示し、
該指示を受けた施錠制御部は自転車に取り付けられた鍵の施錠解除をすることを特徴とする駐輪場管理システム。
【発明の詳細な説明】
【技術分野】
【０００１】
本発明は、識別手段を持った自転車などの人力で移動する手段の入車、出車管理を行い、かつ、本移動手段の配送手配を行う駐輪場管理システムに関する。
【背景技術】
【０００２】
会員登録をしている駐輪場利用者の自転車などの人力移動手段（以降、自転車を例に説明する）のための駐輪場管理においては、物品の入出庫と同様に、駐輪場に入車時に自転車に取り付けられている会員の識別手段、すなわち、ＲＦ（Radio Freqency）−ＩＤや、バーコード、ＩＣカードなどの識別手段、を読み取ることにより、その自転車の駐車を認識し、駐輪場からの出車時に会員の識別手段を読み取ることにより、駐輪場から出庫されたことを認識することにより保管管理している。
また、従来のコンテナの保管管理には、コンテナに無線タグを貼り付けておき、入庫時に無線タグの内容を読み出して管理装置に送信し、管理装置では、保管場所の情報を返送して無線タグに書き込み、搬送クレーン車が無線タグに書き込まれている保管場所の情報を読み取ることによりコンテナを保管場所に移動するという、保管システムの自動化を行ったものがある（例えば、特許文献１参照。）。
【０００３】
また、冷蔵庫のような区割りされた保管の各スペースに商品を保管するものとして、保管の各スペースに無線タグリーダを具備しておき、保管する商品にも無線タグを付けておき、商品が入庫されたとき、保管の各スペースの無線タグリーダが商品の無線タグを読み取り、読み取った情報をコントローラに送ることにより、コントローラが保管状況を知ることができ、さらに、保管の各スペースの棚などに表示器を付けることにより、商品が保管されているときは表示器を点灯、点滅等することにより、外から保管状況を知ることができるというものがある（例えば、特許文献２参照。）。
さらに、車両に、バーコードをつけておき、車両の入車、出車管理を行うというものがある（例えば、特許文献３参照。）。
【０００４】
【特許文献１】特開２０００−８５９７５号公報
【０００５】
【特許文献２】特開２００３−１１８８１３号公報
【特許文献３】特開平１０−２６１１９９号公報
【発明の開示】
【発明が解決しようとする課題】
【０００６】
上記したように、車両、物品いずれについても入庫、出庫管理するシステムが知られている。
ところが、自転車のように、駅の近くの駐輪場に止める場合、朝の通勤では、坂道を下ってくるため、楽であるが、帰りが登りのため、非常な体力を要する状況がある。
さらに、朝は、晴れていたが、帰りは雨が降っており、自転車で帰ることは非常に苦痛である。
また、帰りに、都合により、飲酒した場合、自転車に乗ることは、法律違反でもあり、肉体的にも危険である。また、残業で、夜遅くまで仕事をして疲れている時も同様である。
かかる状況においては、利用者としては、自転車は、置いて帰り、バス、タクシーを利用することが考えられるが、翌日の通勤のことを考えると、自転車を持ち帰りたいという葛藤が生じる。
こういう状況の場合、状況に応じて、自転車の配送指示を行うことまでは実現されていなかった。
本発明の目的は、駐輪場利用者のために、利用者の帰りの状況に応じて、携帯電話などから、自転車の配送指示を行うことを可能とする駐輪場管理システムを得ることにある。
本発明の他の目的は、自転車の施錠管理を携帯電話機などから行えるようにすることにある。
【課題を解決するための手段】
【０００７】
上記課題を解決するため、本発明の駐輪場管理システムは、
識別情報を包含する識別装置を取り付けられた自転車の駐輪場への入車時および出車時に自転車の識別情報をゲート装置により読み取り、結果を管理装置に出力し、該管理装置により自転車の駐車状態を管理する駐輪場管理システムに関するものであり、
管理装置は、処理装置（ＣＰＵ）と、通信網などのネットワークに接続された通信モデムなどの通信手段と、顧客データベースを記憶する記憶装置と出力手段を備えており、顧客データベースには駐輪場利用者の識別情報、住所情報及び自転車の駐車状態情報が格納されており、
そして、通信モデムは、外部から携帯電話機等の通信手段により送られてきた自転車の配送依頼情報を受信して処理装置に送り、
処理装置は、該受信した配送依頼情報の内容により顧客データベースを参照して依頼人の顧客番号、顧客名、配送先住所を特定し出力手段に配送指示伝票の発行を指示し、
出力手段は、該特定した顧客番号、顧客名、配送先住所を記録した自転車の配送指示伝票を発行する。
また、処理装置は受信した配送依頼情報の内容により前記顧客データベースを参照して配送依頼された自転車の駐車状態を調べる。駐車状態を判定して駐車中であれば、出力手段に自転車の配送指示伝票の発行を指示して、出力手段により自転車の配送指示伝票を発行する。
また、処理装置は、自転車の駐車状態が駐車中てあると判定したときには、通信モデムを介して自転車の配送指示を示す情報を前記携帯電話機等の通信手段に送信する。
また、通信モデムは、外部から携帯電話機等の通信手段により送られてきた自転車の施錠解除完了情報を受信して処理装置に送り、処理装置は、自転車の駐車状態が駐車中であると判定し、かつ施錠解除完了情報を受け取った場合に、出力手段に自転車の配送指示伝票の発行を指示するようにしている。
また、自転車に取り付けられた識別装置は、処理装置と通信手段と施錠制御部を備えており、
識別装置の通信手段は、外部から携帯電話機等の通信手段により送られてきた自転車の施錠解除情報を受信し前記識別装置の処理装置に送る。
施錠解除情報をを受けた識別装置の処理装置は、施錠制御部に施錠解除を指示する。
該指示を受けた施錠制御部は自転車に取り付けられた鍵の施錠解除をする。
【発明の効果】
【０００８】
本発明によれば、駐輪場利用者は、帰りの状況などにより、自転車に乗って家に帰れない場合、携帯電話などから駐輪場に電話をするだけで、自転車を家に配送してもらうことが可能になる。
自転車を家に配送してもらうときなどに、携帯電話などから電話をするだけで、自分の自転車の施錠解錠を行うことができる。
【発明を実施するための最良の形態】
【０００９】
以下に、実施例について詳細に説明する。
【実施例１】
【００１０】
図１は、本発明を適用する場合のシステム構成図を示している。
１は、自転車のハンドル部分などに取り付けられた自転車を識別するための識別装置を示し、識別装置は識別情報を包含している無線タグ、ＩＣカードなどを有し、この識別情報を外部から読取ることにより、自転車の識別を行うことができるようになっている。
２は、駐輪場などの出入り口に配置され、識別装置１を取りつけた自転車が通過する時に、識別装置１の識別情報を読取るためのゲート装置を示している。
３は、駐輪場の自転車の入車、出車を管理する管理装置にあたるパソコン（ＰＣ）を示しており、ゲート装置２に接続され、通信手段、伝票出力手段を備えている。
４は、パソコン（ＰＣ）３に接続されるインターネット、公衆電話網を含むネットワーク通信網を示している。
５は、携帯端末として、携帯電話機を示している。
７は、自転車の配送指示を示す配送指示伝票を示している。
【００１１】
図２は、図１で示された識別装置１のハードウェア構成を示している。
識別装置１は、ポケベルのように小型で、かつ、無線による通信が可能となっている小型携帯端末である。
１０１は、識別情報を記憶している無線タグ（ＲＦＩＤ）を示している。
１０２は、識別装置１の全体制御を行なう処理装置（ＣＰＵ）を示している。
１０３は、無線により外部ネットワークとの通信を行なうことができる通信手段を示している。
１０４は、会員番号の表示や状態を表示したり、ライトなどの発光機能、ブザー音などの発音機能なども含む表示部を示している。
１０５は、自転車に取り付けられた電磁ロックを制御する電磁ロック制御部を示しており、ＣＰＵ１０２からの命令で電磁ロックの施錠、解錠ができるようになっている。
１０６は、識別装置を動作させるための電源としてのバッテリを示している。
【００１２】
図３は、図１で示されたゲート装置２のハードウエア構成を示している。
２０１は、ゲート装置１の全体制御を行なう処理装置（ＣＰＵ）を示している。
２０２は、プログラム、テーブルなどを格納しているメモリを示している。
２０３は、識別装置１のＲＦＩＤ１０１の識別情報を読み取る、ＲＦＩＤ読取部を示している。
２０４は、ＰＣ３などとの通信を行うためのＬＡＮ通信手段を示している。
【００１３】
図４は、図１で示されたＰＣ３のハードウエア構成を示している。
３０１は、ＰＣ３の全体制御を行なう処理装置（ＣＰＵ）を示している。
３０２は、プログラム、テーブルなどを格納しているメモリを示している。
３０３は、ゲート装置２との通信を行なうためのＬＡＮ通信手段を示している。
３０４は、プログラム、顧客ＤＢなどのデータベースを保管しているハードディスク（ＨＤＤ）を示している。
３０５は、ネットワーク４との接続制御を行う通信モデムを示している。
３０６は、各種伝票などを出力するプリンタを示している。
【００１４】
図５は、図１で示された駐輪場を利用する顧客用の顧客ＤＢの構成を示している。
６０１は、顧客の識別情報の１つである顧客番号フィールドを示している。
６０２は、顧客の識別情報の１つである顧客名フィールドを示している。
６０３は、住所フィールドを示している。
６０４は、駐車中であることを示すフィールドを示している。“ＯＮ”ならば現在駐車中であることを示す。
６０５は、駐車開始時刻フィールドを示している。駐輪場へ入車した日時が登録される。
６０６は、駐車終了時刻フィールドを示している。駐輪場から出車した日時が登録される。
６０７は、配送依頼フィールドを示している。“ＯＮ”ならば配送依頼を受けたことを示す。
６０８は、ロック解除フィールドを示している。“ＯＮ”ならば自転車の施錠（ロック）解除を指示したことを示す。
６０９は、配送完了フィールドを示している。“ＯＮ”ならば自転車の配送を完了したことを示す。
【００１５】
図６は、ＲＦＩＤ１０１に格納されているデータの形式を示しており、無線で読取ることができる内容を示している。
１０１１は、顧客番号を示して、顧客、自転車の識別に使用されるものを使用する。一例として、携帯電話番号と一致させておいてもよい。
１０１２は、顧客名を示している。
【００１６】
図７は、各種電文形式を示している。
（ａ）は、顧客の携帯電話機５からＰＣ３へ送られる配送依頼電文７ａを示している。
７０１は、ＩＰアドレス、メールアドレスなどの送信元を識別するためのアドレスを示している。
７０２は、ＩＰアドレス、メールアドレスなどの送信先を識別するためのアドレスを示している。
７０３は、“配送依頼”を示すタグ部分を示している。
７０４は、“配送依頼”の付随情報として、依頼元の“顧客番号”を示しており、顧客番号１０１１と一致または、関連付けられている。
７０５は、同じく、“配送依頼”の付随情報として、配送を希望する“指定日時”を示している。指定されていない場合は、当日の夜というデフォルトを取り決めておくことも可能である。
（ｂ）は、顧客の配送依頼に対してＰＣ３から顧客の携帯電話機５へ送られる受付完了電文７ｂ、受付不可電文７ｃを示している。
７１１は、ＩＰアドレス、メールアドレスなどの送信元を識別するためのアドレスを示している。
７１２は、ＩＰアドレス、メールアドレスなどの送信先を識別するためのアドレスを示している。
７１３は、 “配送依頼”に対する応答である“受付完了”または、“受付不可”のタグ部分を示している。
７１４は、“受付完了”または、“受付不可”の付随情報として、依頼元の“顧客番号”を示しており、顧客番号１０１１と一致または、関連付けられている。
（ｃ）は、顧客の携帯電話機５から自転車に取り付けられた識別装置１へ送られるロック解除指示電文７ｄを示している。
７２１は、ＩＰアドレス、メールアドレスなどの送信元を識別するためのアドレスを示している。
７２２は、ＩＰアドレス、メールアドレスなどの送信先を識別するためのアドレスを示している。
７２３は、“ロック解除指示”のタグ部分を示している。
７２４は、セキュリティ上の付随情報として、依頼元の“顧客番号”を示しており、顧客番号１０１１と一致または、関連付けられている。
（ｄ）は、顧客の携帯電話機５からＰＣ３へ送られるロック解除完了電文７ｅを示している。
７３１は、ＩＰアドレス、メールアドレスなどの送信元を識別するためのアドレスを示している。
７３２は、ＩＰアドレス、メールアドレスなどの送信先を識別するためのアドレスを示している。
７３３は、“ロック解除完了”のタグ部分を示している。
７３４は、依頼元の“顧客番号”を示しており、顧客番号１０１１と一致または、関連付けられている。
【００１７】
図８は、配送指示伝票７の形式を示している。
７５１は、配送依頼電文で指定された配送を希望する“指定日時” ７０５が印字されている。
７５２は、依頼元の“顧客番号”を示しており、顧客番号１０１１と一致または、関連付けられている値が印字されている。
７５３、７５４は、顧客番号１０１１より、顧客ＤＢを索引し、該当レコードの顧客名６０２、住所６０３を読み出したものが印字されている。
【００１８】
図９は、本システムにおける各装置間の処理流れ図を示している。
Ｓ９０１は、自転車を駐輪場へ入車する際の入庫処理を示している。
自転車を駐輪場へ入車する際に、自転車に取り付けられた識別装置１のＲＦＩＤ１０１の情報がゲート装置２のＳ９２１のＲＦＩＤ読取りにより、読み取られる。
その読取り結果は、ＰＣ３における入庫処理（Ｓ９３１）においては、本自転車が入車されたことを示すために、顧客ＤＢの駐車中を示すフィールド６０４の該当レコードが“ＯＮ”にセットされ、駐車開始時刻フィールド６０５に入車時刻がセットされる。
Ｓ９１１は、携帯電話機５における配送依頼処理を示しており、ＰＣ３への配送依頼電文７ａの送信、ＰＣ３からの受付完了電文７ｂまたは受付不可電文７ｃの受信、自転車に取り付けられた識別装置１へのロック解除指示電文７ｄ、ＰＣ３へのロック解除完了電文７ｅの送信、の一連のシーケンスを処理する。
Ｓ９０２は、携帯電話機５からのロック解除指示電文７ｄを受け、電磁ロック制御部１０５にロック解除処理の指示を行う。この結果、ロック解除処理が行われ、電磁ロックは解除される。
また、ロック解除処理の結果、Ｓ９０３において、表示部は、その依頼のあった自転車であることを外から明示するため、ライト点滅、ブザー音鳴動、その他表示などを行う。
Ｓ９３２は、ＰＣ３における配送受付処理を示しており、携帯電話機５からの配送依頼電文７ａの受信、ＰＣ３からの受付完了電文７ｂ、受付不可電文７ｃの送信、携帯電話機５からのロック解除完了電文７ｅの受信に連動して顧客ＤＢの更新（すなわち、配送依頼フィールドをＯＮにし、ロック解除フィールドのＯＮをリセットする）、配送指示伝票出力と、一連のシーケンスを処理する。
Ｓ９３３は、自転車を駐輪場から出庫（出車）する際の出庫処理を示しており、ここで、自転車に取り付けられた識別装置１のＲＦＩＤ１０１の情報がゲート装置２のＳ９２１のＲＦＩＤ読取りにより、読み取られる。その結果はＰＣ３に送られ、ＰＣ３では顧客ＤＢの駐車終了時刻フィールド６０６に出車時刻がセットされる。
Ｓ９３４は、自転車を送り届けて、配送完了した場合の配送完了処理を示しており、その結果は、ＰＣ３における顧客ＤＢ６の配送完了６０９を“ＯＮ”にする。配送完了報告は、配送した者の所有する携帯電話機より、ＰＣ３へ配送完了電文を送信するようにしてもよい。
この後、駐車中であることを示すフィールド６０４以下の関連フィールドをクリアするようにする。クリアするタイミングは、配送完了時、配送完了から一定時間経過後、真夜中（メンテナンス）のタイミング、同じ自転車の入車が発生した場合などから選択すればよい。
【００１９】
図１０は、携帯電話機５における配送依頼処理の詳細フローチャートを示す。
Ｓ１００１は、携帯電話機５において、配送依頼、指定日時を入力する。ここで、入力方法は、インターネットのＷｅｂサイトより、選択する方法でもよく、指定日時入力省略時は、当日夜というふうにデフォルトが選択されるようにしておいてもよい。
Ｓ１００２において、配送依頼電文７ａを送信し、その応答である受付完了電文／受付不可電文７ｂ、７ｃをＳ１００３、Ｓ１０１１にて待つ。
受付完了電文７ｂを受信すると、Ｓ１００４において、自転車に取り付けられた識別装置１に対して、ロック解除指示電文７ｄを送信し、電磁ロックを解除する。その後、Ｓ１００５において、ロック解除完了電文７ｅをＰＣ３に対して、送信する。
Ｓ１０１１において、受付不可電文７ｃを受信した場合には、処理を終了する。
【００２０】
図１１は、ＰＣ３における配送受付処理のフローチャートを示す。
まず、Ｓ１１０１において、配送依頼電文７ａを受信すると、Ｓ１１０２において、受信した顧客番号７０４で顧客ＤＢのレコード検索を行う。
Ｓ１１０３において、顧客ＤＢにおける該当自転車が駐車中を示すフィールド６０４＝“ＯＮ”かどうか、セキュリティ上の判定を行う。“ＯＮ”の場合、配送依頼フィールド６０７を“ＯＮ”にセットし（Ｓ１１０４）、受付完了電文７ｂを送信する（Ｓ１１０５）。
Ｓ１１０６において、ロック解除完了電文７ｅの受信待ちを行う。受信後、顧客ＤＢのロック解除フィールド６０８を“ＯＮ”にセットする（Ｓ１１０７）。
Ｓ１１０８は、上記、受付の結果、輸送業者または輸送担当者に指示する配送指示伝票７を出力する。
Ｓ１１０３において、駐車中を示すフィールド６０４が“ＯＮ”でない場合は、不当な要求ということで、Ｓ１１１４において、受付不可電文７ｃを送信する。
【００２１】
ここで、自転車のロック解除に当っては、自転車の識別装置１へ電話をかけただけで、ロックを解除する簡便な方法でも可能である。また、同様に、施錠をする機能を具備することは、一旦、依頼したあと、取り消しを行う際、使用するということも同様に可能とすることができる。
また、電磁ロックの施錠、解錠は、携帯電話機からの依頼を受けて、ＰＣ３から指示する方法でもよい。
【図面の簡単な説明】
【００２２】
【図１】本発明を適用する場合のシステム構成を示す図である。
【図２】識別装置１のハードウェア構成を示す図である。
【図３】ゲート装置２のハードウエア構成を示す図である。
【図４】ＰＣ３のハードウエア構成を示す図である。
【図５】駐輪場を利用する顧客用の顧客ＤＢの構成を示す図である。
【図６】ＲＦＩＤ１０１に格納されているデータの形式を示しており、無線で読取ることができる内容を示す図である。
【図７】各種電文形式を示す図である。
【図８】配送指示伝票７の形式を示す図である。
【図９】本システムにおける各装置間の処理の流れを示す処理流れ図である。
【図１０】携帯電話機５における配送依頼処理の詳細フローチャートを示す図である。
【図１１】ＰＣ３における配送受付処理のフローチャートを示す図である。
【符号の説明】
【００２３】
１  識別装置
２  ゲート装置
３  ＰＣ
４  回線網
５  携帯電話機
７  配送指示伝票
１０１  ＲＦＩＤ
１０２  ＣＰＵ
１０３  通信手段
１０４  表示部
１０５  電磁ロック制御部
１０６  バッテリ
２０１  ＣＰＵ
２０２  メモリ
２０３  ＲＦＩＤ読取部
２０４  ＬＡＮ通信手段
３０１  ＣＰＵ
３０２  メモリ
３０３  ＬＡＮ通信手段
３０４  ＨＤＤ
３０５  通信モデム
３０６  プリンタ
６０１  顧客番号
６０２  顧客名
６０３  住所
６０４  駐車中
６０５  駐車開始時刻
６０６  駐車終了時刻
６０７  配達依頼
６０８  ロック解除
６０９  配達完了
１０１１  顧客番号
１０１２  顧客名
７０１  送信元
７０２  送信先
７０３  配送依頼
７０４  顧客番号
７０５  指定日時
７１１  送信元
７１２  送信先
７１３  受付完了/受付不可
７１４  顧客番号
７２１  送信元
７２２  送信先
７２３  ロック解除指示
７２４  顧客番号
７３１  送信元
７３２  送信先
７３３  ロック解除完了
７３４  顧客番号
７５１  指定日時
７５２  顧客番号
７５３  顧客名
７５４  住所
Ｓ９０１  自転車入庫処理
Ｓ９０２  ロック解除処理
Ｓ９０３  ライト点滅処理
Ｓ９１１  配送依頼処理
Ｓ９２１  ＲＦＩＤ読取処理
Ｓ９３１  入庫処理
Ｓ９３２  配送受付処理
Ｓ９３３  出庫処理
Ｓ９３４  配送完了処理
Ｓ１００１  配送依頼、指定日時入力処理
Ｓ１００２  配送依頼電文送信７ａ処理
Ｓ１００３  受付完了電文受信７ｂ処理
Ｓ１００４  ロック解除指示電文７ｄ処理
Ｓ１００５  ロック解除完了電文７ｅ送信処理
Ｓ１１０１  配送依頼電文７ａ受信
Ｓ１１０２  顧客ＤＢ６を受信した顧客番号７０４でレコード検索
Ｓ１１０３  駐車中６０４＝ＯＮ？
Ｓ１１０４  顧客ＤＢ６の配送依頼６０７←ＯＮ
Ｓ１１０５  受付完了電文７ｂ送信
Ｓ１１０６  ロック解除完了電文７ｅ受信
Ｓ１１０７  顧客ＤＢ６のロック解除６０８←ＯＮ
Ｓ１１０８  配送指示伝票７出力
Ｓ１１１４  受付不可電文７ｃ送信
【図１】
2006001708.tif 000003
【図２】
2006001708.tif 000004
【図３】
2006001708.tif 000005
【図４】
2006001708.tif 000006
【図５】
2006001708.tif 000007
【図６】
2006001708.tif 000008
【図７】
2006001708.tif 000009
【図８】
2006001708.tif 000010
【図９】
2006001708.tif 000011
【図１０】
2006001708.tif 000012
【図１１】
2006001708.tif 000013